(57)【要約】【課題】  本発明の目的は、埋込型照明器具への補助光源および配光アクセサリの後付けを容易に行えるようにすることである。【解決手段】  ＬＥＤ１６の後付けは、天井面２の取付穴３に挿入されている埋込型照明器具本体４を一旦取付穴３から抜き取り、取付穴３の位置に合わせてリング体１２を配置し、リング体１２の穴部と取付穴３とに埋込型照明器具本体４を挿入し、フランジ部７と取付穴３の周囲の天井面２とでリング体１２を挟持することにより行われる。このため、ＬＥＤ１６の後付けに際しては、天井面２への穴あけ工事などが不要であり、ＬＥＤ１６の後付けを手間や費用をあまりかけずに簡単に行える。【選択図】図１
2008218435.tif 000002
【特許請求の範囲】
【請求項１】
光源を内包して天井面に形成された取付穴に挿入された埋込型照明器具本体の一部であって前記取付穴の縁部を覆うフランジ部と前記天井面との間に挟持されるリング体と；
前記リング体に取付けられた補助光源と；
を具備する埋込型照明器具用後付け機構。
【請求項２】
光源を内包して天井面に形成された取付穴に挿入された埋込型照明器具本体の一部であって前記取付穴の縁部を覆うフランジ部と前記天井面との間に挟持されるリング体と；
前記リング体に取付けられた配光アクセサリと；
を具備する埋込型照明器具用後付け機構。
【請求項３】
前記リング体は、組み合わせることによりリング状となる少なくとも２以上の部材から構成されている請求項１または2記載の埋込型照明器具用後付け機構。
【請求項４】
光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；
前記天井面と前記フランジ部とにより挟持されるリング状に形成されて前記天井面と前記フランジ部との間に着脱自在に取付けられるリング体と；
前記リング体に取付けられた補助光源と；
を具備する埋込型照明器具。
【請求項５】
前記補助光源の制御ユニットが前記天井面の裏側に配置されている請求項４記載の埋込型照明器具。
【請求項６】
光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；
前記天井面と前記フランジ部とにより挟持されるリング状に形成されて前記天井面と前記フランジ部との間に着脱自在に取付けられるリング体と；
前記リング体に取付けられた配光アクセサリと；
を具備する埋込型照明器具。
【請求項７】
前記リング体は、組み合わせることによりリング状となる少なくとも２以上の部材から構成されている請求項４または６記載の埋込型照明器具。
【発明の詳細な説明】
【技術分野】
【０００１】
本発明は、天井面に形成された取付穴に挿入して取付けられた埋込型照明器具に対して各種の機能を有する部材を後付けできる埋込型照明器具用後付け機構及びそのような部材の後付けが可能な埋込型照明器具に関する。
【背景技術】
【０００２】
従来、天井面に形成された取付穴に挿入して取付けられる埋込型照明器具が広く普及している。さらに近年では、このような埋込型照明器具において、人が近付いたときにのみ点灯させるための人感センサを備えたものや、常夜灯などの補助光源を備えたものや、光源から放射された光の配光方向を調整する配光アクセサリを備えたものが実用化されている。
【０００３】
ここで、人感センサを備えた埋込型照明器具の従来例を図８及び図９に基づいて説明する。
【０００４】
図８に示した埋込型照明器具１０１は、天井面１０２に形成された取付穴（図示せず）に筒状の埋込型照明器具本体１０３が挿入され、この埋込型照明器具本体１０３内に光源１０４が内包され、さらに、埋込型照明器具本体１０３には光源１０４と並んだ位置に人感センサ１０５が取付けられている。
【０００５】
図９に示した埋込型照明器具１０６は、光源１０４を内包する埋込型照明器具本体１０７と人感センサ１０５とが分離されており、天井面１０２には、埋込型照明器具本体１０７を挿入するための取付穴（図示せず）と、人感センサ１０５を挿入するための取付穴（図示せず）とが別個に形成されている。
【０００６】
図８に示した埋込型照明器具１０１によれば、埋込型照明器具本体１０３の外形寸法は、光源のみを内包している一般的な埋込型照明器具本体の外形寸法に比べて大きくなる。このため、既に取付けられている人感センサなしの埋込型照明器具をこの埋込型照明器具１０１に変更する場合には、取付穴を大きくする工事が必要であり、その変更作業には多大な手間と費用とがかかる。また、人感センサなしの既存の埋込型照明器具から埋込型照明器具１０１に変更した場合、既存の埋込型照明器具は使いみちがなくなって廃棄されるため、多大な無駄が生じる。
【０００７】
図９に示した埋込型照明器具１０６によれば、天井面１０２には埋込型照明器具本体１０７を挿入するための取付穴と、人感センサ１０５を挿入するための取付穴とが必要である。このため、既存の人感センサなしの埋込型照明器具を人感センサ付きの埋込型照明器具１０６に変更するためには、人感センサ１０５を挿入するための取付穴を天井面１０２に新たに形成する工事が必要があり、その変更作業には多大な手間と費用とがかかる。
【０００８】
また、補助光源を備えていない埋込型照明器具から補助光源を備えた埋込型照明器具へ変更する場合や、配光アクセサリを有しない埋込型照明器具から配光アクセサリを備えた埋込型照明器具へ変更する場合においても、上述した人感センサ１０５の場合と同じように、天井面に形成される取付穴を大きくしたり天井面に新たな取付穴を形成するために多大な手間と費用とがかかる工事を必要としたり、今まで使用していた埋込型照明器具の使いみちがなくなって廃棄するために多大な無駄を生じている。
【発明の開示】
【発明が解決しようとする課題】
【０００９】
本発明の目的は、埋込型照明器具への補助光源の後付けを容易に行えるようにすることである。
【００１０】
本発明の目的は、埋込型照明器具への配光アクセサリの後付けを容易に行えるようにすることである。
【課題を解決するための手段】
【００１１】
請求項１記載の発明の埋込型照明器具用後付け機構は、光源を内包して天井面に形成された取付穴に挿入された埋込型照明器具本体の一部であって前記取付穴の縁部を覆うフランジ部と前記天井面との間に挟持されるリング体と；前記リング体に取付けられた補助光源と；を具備するものである。
【００１２】
ここで、本発明及び以下の発明において、補助光源とは、光源よりも照度が低い光源であり、ＬＥＤやベビー球などが含まれ、常夜灯などとして機能する。
【００１３】
したがって、補助光源を有しない埋込型照明器具が天井面に取付けられている場合において、補助光源が取付けられたリング体を、埋込型照明器具本体の一部であるフランジ部と天井面との間に挟持することにより、埋込型照明器具への補助光源の後付けを多大な手間や費用をかけることなく簡単に行える。
【００１４】
請求項２記載の発明の埋込型照明器具用後付け機構は、光源を内包して天井面に形成された取付穴に挿入された埋込型照明器具本体の一部であって前記取付穴の縁部を覆うフランジ部と前記天井面との間に挟持されるリング体と；前記リング体に取付けられた配光アクセサリと；を具備する。
【００１５】
ここで、本発明及び以下の発明において、配光アクセサリとは、光源からの光の放射方向を調整する部材を意味する。その形状については特に制限はなく、平板状のものや、凹面状のものや、ドーム状のものなどか含まれる。また、必要に応じて角度を調整する機能を有してもよい。
【００１６】
したがって、配光アクセサリを有しない埋込型照明器具が天井面に取付けられている場合において、配光アクセサリが取付けられたリング体を、埋込型照明器具本体の一部であるフランジ部と天井面との間に挟持することにより、埋込型照明器具への配光アクセサリの後付けを簡単に行うことができる。
【００１７】
請求項３記載の発明は、請求項１または2記載の埋込型照明器具用後付け機構において、前記リング体は、組み合わせることによりリング状となる少なくとも２以上の部材から構成されている。
【００１８】
したがって、リング体の取付けを、埋込型照明器具本体を取付穴から一旦抜き取ることなく、フランジ部と天井面との間にリング体の厚さ寸法より僅かに広い隙間をあけ、その隙間部分にリング体を構成する部材を天井面と平行な向きに差し込んでリング状に組み合わせることにより簡単に行えるので、人感センサや補助光源や配光アクセサリの後付けの作業をより簡単に行える。
【００１９】
請求項４記載の発明の埋込型照明器具は、光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；前記天井面と前記フランジ部とにより挟持されるリング状に形成されて前記天井面と前記フランジ部との間に着脱自在に取付けられるリング体と；前記リング体に取付けられた補助光源と；を具備する。
【００２０】
したがって、この埋込型照明器具の使用形態としては、天井面とフランジ部との間にリング体を挟持せずに補助光源を有しない状態と、リング体を挟持して補助光源を有する状態とのいずれか一方を選択することができる。リング体を挟持せずに補助光源を有しない場合でも、後から天井面とフランジ部との間にリング体を挟持することにより補助光源を後付けすることができ、補助光源の後付けを手間や費用をあまりかけずに簡単に行える。
【００２１】
請求項５記載の発明は、請求項４記載の埋込型照明器具において、前記補助光源に接続された制御ユニットが前記天井面の裏側に配置されている。
【００２２】
請求項６記載の発明の埋込型照明器具は、光源を内包し、内包した前記光源からの光が放射される開口が形成され、天井面に形成された取付穴に挿入されたときに前記取付穴の縁部を覆うフランジ部が前記開口の周囲に設けられた筒状の埋込型照明器具本体と；前記天井面と前記フランジ部とにより挟持されるリング状に形成されて前記天井面と前記フランジ部との間に着脱自在に取付けられるリング体と；前記リング体に取付けられた配光アクセサリと；を具備する。
【００２３】
したがって、この埋込型照明器具の使用形態としては、天井面とフランジ部との間にリング体を挟持せずに配光アクセサリを有しない状態と、リング体を挟持して配光アクセサリを有する状態とのいずれか一方を選択することができる。リング体を挟持せずに配光アクセサリを有しない場合でも、後から天井面とフランジ部との間にリング体を挟持することにより配光アクセサリを後付けすることができ、配光アクセサリの後付けを手間や費用をあまりかけずに簡単に行える。
【００２４】
請求項７記載の発明は、請求項４または６記載の埋込型照明器具において、前記リング体は、組み合わせることによりリング状となる少なくとも２以上の部材から構成されている。
【００２５】
したがって、リング体の取付けを、埋込型照明器具本体を取付穴から抜き取ることなく、フランジ部と天井面との間にリング体の厚さ寸法より僅かに広い隙間をあけ、その隙間部分にリング体を構成する部材を天井面と平行な向きに差し込んでリング状に組み合わせることにより簡単に行えるので、補助光源や配光アクセサリの後付けの作業をより簡単に行える。
【発明の効果】
【００２６】
請求項１記載の発明によれば、補助光源を有しない埋込型照明器具が天井面に取付けられている場合において、補助光源が取付けられたリング体を、埋込型照明器具本体の一部であるフランジ部と天井面との間に挟持することにより、埋込型照明器具への補助光源の後付けを多大な手間や費用をかけることなく簡単に行える。
【００２７】
請求項２記載の発明の埋込型照明器具用後付け機構によれば、配光アクセサリを有しない埋込型照明器具が天井面に取付けられている場合において、配光アクセサリが取付けられたリング体を、埋込型照明器具本体の一部であるフランジ部と天井面との間に挟持することにより、埋込型照明器具への配光アクセサリの後付けを簡単に行うことができる。
【００２８】
請求項３記載の発明によれば、請求項１または2記載の埋込型照明器具用後付け機構において、前記リング体は、組み合わせることによりリング状となる少なくとも２以上の部材から構成されているので、リング体の取付けを、埋込型照明器具本体を取付穴から一旦抜き取ることなく、フランジ部と天井面との間にリング体の厚さ寸法より僅かに広い隙間をあけ、その隙間部分にリング体を構成する部材を天井面と平行な向きに差し込んでリング状に組み合わせることにより簡単に行えるので、人感センサや補助光源や配光アクセサリの後付けの作業をより簡単に行うことができる。
【００２９】
請求項４記載の発明の埋込型照明器具によれば、この埋込型照明器具の使用形態としては、天井面とフランジ部との間にリング体を挟持せずに補助光源を有しない状態と、リング体を挟持して補助光源を有する状態とのいずれか一方を選択することができ、リング体を挟持せずに補助光源を有しない場合でも、後から天井面とフランジ部との間にリング体を挟持することにより補助光源の後付けを手間や費用をあまりかけずに簡単に行うことができる。
【００３０】
請求項５記載の発明によれば、請求項３記載の埋込型照明器具において、前記補助光源に接続された制御ユニットが前記天井面の裏側に配置されているので、補助光源を後付けした場合において、制御ユニットの設置を外部から見えない位置に簡単に行うことができる。
【００３１】
請求項６記載の発明の埋込型照明器具によれば、この埋込型照明器具の使用形態としては、天井面とフランジ部との間にリング体を挟持せずに配光アクセサリを有しない状態と、リング体を挟持して配光アクセサリを有する状態とのいずれか一方を選択することができ、リング体を挟持せずに配光アクセサリを有しない場合でも、後から天井面とフランジ部との間にリング体を挟持することにより配光アクセサリの後付けを手間や費用をあまりかけずに簡単に行うことができる。
【００３２】
請求項７記載の発明によれば、請求項４または6記載の埋込型照明器具において、前記リング体は、組み合わせることによりリング状となる少なくとも２以上の部材から構成されているので、リング体の取付けを、埋込型照明器具本体を取付穴から一旦抜き取ることなく、フランジ部と天井面との間にリング体の厚さ寸法より僅かに広い隙間をあけ、その隙間部分にリング体を構成する部材を天井面と平行な向きに差し込んでリング状に組み合わせることにより簡単に行えるので、補助光源や配光アクセサリの後付けの作業をより簡単に行うことができる。
【発明を実施するための最良の形態】
【００３３】
本発明の第１の実施の形態を図１及び図２に基づいて説明する。図１は天井面への埋込型照明器具の取付状態を示し、（ａ）は補助光源としてのＬＥＤ１６が取付けられていない状態の縦断正面図、（ｂ）は後付け機構により補助光源としてのＬＥＤ１６が取付けられている状態の縦断正面図である。図２は補助光源の後付け機構を示す斜視図である。
【００３４】
この埋込型照明器具は、光源１と、この光源１を内包して天井面２に形成された円形の取付穴３に挿入される筒状の埋込型照明器具本体４と、取付穴３に挿入された埋込型照明器具本体４が取付穴３から落下しないように保持する略Ｖ字形の一対の板バネ５とを備えている。
【００３５】
埋込型照明器具本体４の一端には光源１からの光が放射される開口６が形成され、この開口６の周囲には、埋込型照明器具本体４を取付穴３に挿入したときに取付穴３の縁部を覆うフランジ部７が形成されている。光源１のソケットには光源側コネクタ８が設けられており、この光源側コネクタ８には電源線９の先端に設けられた電源側コネクタ１０が接続されている。
【００３６】
また、この埋込型照明器具には、一部に凸部１１を有するリング状のリング体１２が着脱自在に取付けられている。このリング体１２の取付けは、図１（ｂ）に示すように、このリング体１２を、フランジ部７と取付穴３の周囲の天井面２とで挟持することにより行われている。
【００３７】
リング体１２の凸部１１には補助光源としてのＬＥＤ１６が取付けられている。このＬＥＤ１６に接続されたリード線１４は、凸部１１の裏面側に形成された凹部（図示せず）に沿って配線され、取付穴３から天井面２の裏側へ引き込まれている。このリード線１４の先端部には、ＬＥＤ１６を制御するとともに光源１を点灯制御するための制御ユニット１５が接続され、この制御ユニット１５は光源側コネクタ８と電源側コネクタ１０との間に接続されている。
【００３８】
このような構成において、本実施の形態の埋込型照明器具によれば、図１（ａ）に示したようにＬＥＤ１６を有しない使用形態と、図１（ｂ）に示したようにＬＥＤ１６を有する使用形態とに切り替えることができる。そして、当初、図１（ａ）に示したようにＬＥＤ１６を有しない使用形態をとっていた場合でも、その後に図１（ｂ）に示したようにＬＥＤ１６を後付けすることができる。ＬＥＤ１６を有する場合には、ＬＥＤ１６が人の接近を検知した場合に、その検知結果に応じて光源１を点灯制御することができる。
【００３９】
さらに、ＬＥＤ１６を有する場合には、必要に応じて光源１とＬＥＤ１６との点灯切替を行うことができ、夜間などにはＬＥＤ１６を点灯させて常夜灯として使用することができる。
【００４０】
ＬＥＤ１６の後付けは、天井面２の取付穴３に挿入されている埋込型照明器具本体４を一旦取付穴３から抜き取り、取付穴３の位置に合わせてリング体１２を配置し、リング体１２の穴部と取付穴３とに埋込型照明器具本体４を挿入し、フランジ部７と取付穴３の周囲の天井面２とでリング体１２を挟持することにより行われる。このため、ＬＥＤ１６の後付けに際しては、天井面２への穴あけ工事などが不要であり、ＬＥＤ１６の後付けを手間や費用をあまりかけずに簡単に行える。
【００４１】
なお、本実施の形態では、補助光源としてＬＥＤ１６を例に挙げて説明したが、補助光源としてベビー球などを用いることができる。
【００４２】
つぎに、本発明の第２の実施の形態を図３に基づいて説明する。本実施の形態は、第１の実施の形態と同じように補助光源としてのＬＥＤ１６を後付けできるようにしたものである。但し、そのＬＥＤ１６の配置状態が第２の実施の形態とは異なり、ＬＥＤ１６がリング体１２の外周部にリング状に配置されている。
【００４３】
このような構成において、本実施の形態の作用、効果は第１の実施の形態と同じであり、ＬＥＤ１６を有しない使用形態と、ＬＥＤ１６を有する使用形態とに切り替えることができる。そして、当初、ＬＥＤ１６を有しない使用形態をとっていた場合でも、その後にＬＥＤ１６を後付けすることができる。このＬＥＤ１６の後付けに際しては、天井面２への穴あけ工事などが不要であり、ＬＥＤ１６の後付けを手間や費用をあまりかけずに簡単に行える。
【００４４】
つぎに、本発明の第３の実施の形態を図４及び図５に基づいて説明する。本実施の形態の基本的構造は第１、第２の実施の形態と同じであり、異なる点は、第１の実施の形態ではＬＥＤ１６を後付けし、第２の実施の形態では補助光源としてのＬＥＤ１６を後付けしたのに対し、本実施の形態では配光アクセサリ１７を後付けするようにした点である。配光アクセサリ１７は、光源１からの光の放射方向を調整する部材である。
【００４５】
図４（ｂ）に示すように、リング体１２は、フランジ部７と取付穴３の周囲の天井面２とにより挟持されることにより取付けられている。このリング体１２に配光アクセサリ１７が取付けられており、配光アクセサリ１７は、第１回動支点１８と第２回動支点１９とにおいて、回動自在及び任意の回動角度で位置固定自在に設けられている。これにより、配光アクセサリ１７は、図４（ｂ）において実線で示した位置、仮想線で示した位置などへ回動され、それらの位置で位置固定に保持される。
【００４６】
このような構成において、本実施の形態の埋込型照明器具によれば、図４（ａ）に示したように配光アクセサリ１７を有しない使用形態と、図４（ｂ）に示したように配光アクセサリ１７を有する使用形態とに切り替えることができる。そして、当初、図４（ａ）に示したように配光アクセサリ１７を有しない使用形態をとっていた場合でも、その後に図４（ｂ）に示したように配光アクセサリ１７を後付けすることができる。配光アクセサリ１７を有する場合には、配光アクセサリ１７を第１回動支点１８、第２回動支点１９で任意の角度に回動させることにより、光源１からの光の放射方向を適宜調整することができる。
【００４７】
配光アクセサリ１７の後付けは、天井面２の取付穴３に挿入されている埋込型照明器具本体４を一旦取付穴３から抜き取り、取付穴３の位置に合わせてリング体１２を配置し、リング体１２の穴部と取付穴３とに埋込型照明器具本体４を挿入し、フランジ部７と取付穴３の周囲の天井面２とでリング体１２を挟持することにより行われる。このため、配光アクセサリ１７の後付けに際しては、天井面２への穴あけ工事などが不要であり、配光アクセサリ１７の後付けを手間や費用をあまりかけずに簡単に行える。
【００４８】
また、このようなリング体１２を利用した配光アクセサリ１７の後付けは、配光アクセサリ１７を有しない既存の埋込型照明器具に対しても行うことができ、配光アクセサリ１７を後付けした後に既存の埋込型照明器具をそのまま使用することができる。
【００４９】
つぎに、本発明の第４の実施の形態を図６に基づいて説明する。本実施の形態の基本的な構造、及び、作用・効果は第３の実施の形態と同じであり、本実施の形態が第３の実施の形態と異なる点は、リング体１２を、組み合わせることによりリング状となる２つの半リング体１２ａ、１２ｂに２分割した点である。２分割された半リング体１２ａ、１２ｂの連結部には、連結用凸部２０ａと連結用凹部２０ｂとが形成されている。
【００５０】
このような構成において、本実施の形態の埋込型照明器具によれば、第３の実施の形態の埋込型照明器具と同じように、配光アクセサリ１７を有しない使用形態と、配光アクセサリ１７を有する使用形態とに切り替えることができる。
【００５１】
配光アクセサリ１７の後付けに際しては、埋込型照明器具本体４を取付穴３から完全に抜き取る必要がなく、フランジ部７と天井面２との間にリング体１２の厚さ寸法より僅かに広い隙間があくように引き下げ、その隙間部分に２分割した半リング体１２ａ、１２ｂを天井面２と平行な前後方向から差し込み、対向する連結用凸部２０ａと連結用凹部２０ｂとを連結することにより行える。このため、配光アクセサリ１７の後付け作業をより一層簡単に行える。
【００５２】
なお、本実施の形態及び第３の実施の形態では、円盤状の配光アクセサリ１７を設けた場合を例に挙げて説明したが、配光アクセサリ１７の形状としてはこのようなものに限定されるわけではなく、図７に示すように、半ドーム形状の配光アクセサリ１７ａであってもよい。
【００５３】
また、本実施の形態では、２つに分割した半リング体１２ａ、１２ｂを組み合わせることによりリング体１２を構成する場合を例に挙げて説明したが、３つ以上の部材に分割し、それらを組み合わせることによりリング体１２を構成するようにしたものであってもよい。
【図面の簡単な説明】
【００５４】
【図１】本発明の第１の実施の形態の埋込型照明器具の天井面への取付状態を示し、（ａ）はＬＥＤが取付けられていない状態の縦断正面図、（ｂ）は後付け機構によりＬＥＤが取付けられている状態の縦断正面図である。
【図２】ＬＥＤの後付け機構を示す斜視図である。
【図３】本発明の第２の実施の形態のＬＥＤの後付け機構を示す斜視図である。
【図４】本発明の第３の実施の形態の埋込型照明器具の取付状態を示し、（ａ）は配光アクセサリが取付けられていない状態の縦断正面図、（ｂ）は後付け機構により配光アクセサリが取付けられている状態の縦断正面図である。
【図５】配光アクセサリの後付け機構を示す斜視図である。
【図６】本発明の第４の実施の形態の配光アクセサリの後付け機構を示す斜視図である。
【図７】配光アクセサリの後付け機構の変形例である。
【図８】埋込型照明器具の従来例を示す斜視図である。
【図９】埋込型照明器具の他の従来例を示す斜視図である。
【符号の説明】
【００５５】
１：光源、２：天井面、３：取付穴、４：埋込型照明器具本体、６：開口、７：フランジ部、１２：リング体、１５、１５ａ：制御ユニット、１６：補助光源、１７、１７ａ：配光アクセサリ
【図１】
2008218435.tif 000003
【図２】
2008218435.tif 000004
【図３】
2008218435.tif 000005
【図４】
2008218435.tif 000006
【図５】
2008218435.tif 000007
【図６】
2008218435.tif 000008
【図７】
2008218435.tif 000009
【図８】
2008218435.tif 000010
【図９】
2008218435.tif 000011